(57)【要約】【課題】引き出しや衣装ケースの内部に安定して防虫剤を保持でき、かつ、交換時期を示すインジケータの確認を容易に行うことを可能にする防虫剤ホルダーを提供する。【解決手段】防虫剤ホルダー１は、長方形の第１シート１１と、第１シート１１の一方の短辺に接続された第２シートとを、第１シート１１の一対の長辺に接続された折り返し部４ａ及び４ｂとから構成される。防虫剤２０は、第１シート１１と折り返し部４ａ及び４ｂとの間にフランジ部１７ａ及び１７ｂを滑り込ませた状態で、防虫剤ホルダー１に保持されている。第２シート１２は、第１シート１１との境界線上に設けられた折り曲げ線６と、折り曲げ線６に平行な折り曲げ線７ａとで折り曲げられている。使用時には、第２シート１２を透明な衣装ケースの側板の上縁部分に引っ掛けることによって、側板の近傍に防虫剤２０を保持でき、インジケータ１９の視認性を向上させることができる。【選択図】図２
2010187557.tif 000002
【特許請求の範囲】
【請求項１】
平面部を有する収納容器に揮発性の薬剤を収納して構成され、前記平面部とは異なる部分に設けられた揮散口から前記薬剤を揮散させる防虫剤を、上面が開放された箱形形状を有する衣装ケース内に保持するための防虫剤ホルダーであって、
透明な樹脂製のシート材により形成され、前記揮散口が露出した状態で前記防虫剤を保持する保持手段と、
前記シート材により前記保持手段と一体的に形成され、前記平面部が前記側板の内面に沿うように前記保持手段を配置する配置手段とを備える、防虫剤ホルダー。
【請求項２】
前記保持手段は、略矩形形状の第１シートを含み、
前記配置手段は、前記第１シートの一辺に接続される第２シートを含み、
前記第１シートの前記一辺上には、前記第１シートに対して前記第２シートを折り曲げ自在とする第１折り曲げ線が形成されると共に、前記第２シートには、前記第１折り曲げ線と平行な第２折り曲げ線が形成され、
前記配置手段は、
前記第２シートを前記第１折り曲げ線及び前記第２折り曲げ線の各々で折り曲げて、前記第２シートを前記第１シートの前記一方面に対して谷折り状態とした第１形態にあっては、前記第２シートが前記衣装ケースの側板の上縁に係合することによって前記保持手段を配置し、
前記第２シートを前記第１折り曲げ線または前記第２折り曲げ線のいずれかで折り曲げて、前記第２シートの少なくとも一部を前記第１シートの一方面に対して山折り状態とした第２形態にあっては、前記第２シートの前記少なくとも一部が前記衣装ケースの底板に沿うことによって前記保持手段を配置する、請求項１記載の防虫剤ホルダー。
【請求項３】
前記収納容器は、前記平面部と一体的に形成され、互いにほぼ平行に延びる一対のフランジ部を更に有し、前記収納容器の前記揮散口は、前記平面部とは反対側に設けられており、
前記保持手段は、前記第１シートの一辺と隣接する一対の辺に接続され、前記第１シートの前記一方面に対して反対側に折り返された一対の折り返し部を更に含み、前記平面部が前記第１シートの他方面と接し、かつ、前記フランジ部の各々が前記折り返し部の各々と前記他方面との間に格納された状態で前記防虫剤を保持する、請求項２記載の防虫剤ホルダー。
【請求項４】
前記第１シートには、保持した防虫剤が前記第２シートとは反対側に移動することを保持するストッパー手段が更に設けられる、請求項３記載の防虫剤ホルダー。
【請求項５】
前記収納容器は、前記平面部と一体的に形成されるフランジ部を更に有し、前記収納容器の前記揮散口は、前記平面部とは反対側に設けられており、
前記第１シートには、前記平面部及び前記フランジ部を含む平面から突出した収納容器の突出部分が嵌合する開口が形成され、
前記保持手段は、前記第１シートの前記一辺と対向する辺に接続され、当該対向する辺において前記第１シートの前記一方面に対して谷折りに折り曲げられた略矩形形状の第３シートを更に含み、前記収納容器の前記突出部分が前記第１シートに嵌合した状態で、前記第１シートと前記第３シートとの間に前記防虫剤を挟み込んで保持する、請求項２記載の防虫剤ホルダー。
【発明の詳細な説明】
【技術分野】
【０００１】
本発明は、衣類等を収納する箱形の衣装ケースや引き出し内に衣類用防虫剤を保持するための防虫剤ホルダーに関するものである。
【背景技術】
【０００２】
引き出しや衣装ケース等に収納された衣類を衣料害虫による食害（いわゆる「虫食い」）から保護するため、樹脂フィルムの成形加工等で形成した容器に揮発性の薬剤を収納したの衣類用防虫剤が広く利用されている。防虫剤の容器には、薬剤を揮散させるために窓や開口等の揮散口が設けられ、当該揮散口を通じて揮発した薬剤が揮散して、防虫効果を発揮する。また、容器の表面には、薬剤の効果の持続期間が経過したときにその表示内容が変化するインジケータが設けられており、使用者はインジケータを参照することによって防虫剤の取り替え時期を視覚的に把握することができる。
【先行技術文献】
【特許文献】
【０００３】
【特許文献１】実公平７−３３６６０号公報
【発明の概要】
【発明が解決しようとする課題】
【０００４】
従来の防虫剤の使用方法としては、引き出し等の容積に応じた数量の防虫剤を収納された衣類の上に置くことが一般的である。
【０００５】
しかしながら、引き出しや衣装ケースを開閉あるいは移動させたり、衣類を出し入れしたりする度に防虫剤の位置が移動するため、防虫剤の交換時に防虫剤を探す作業が必要となる。特に、容積の大きな引き出しや衣装ケースには複数個の防虫剤が使用されるため、移動した防虫剤を探す手間が更に増えてしまう。また、防虫剤の位置が移動すると、インジケータも容易に確認できないため、使い勝手が良くない。
【０００６】
それ故に、本発明は、引き出しや衣装ケースの内部に安定して防虫剤を保持でき、かつ、交換時期を示すインジケータの確認を容易に行うことを可能にする防虫剤ホルダーを提供することを目的とする。
【課題を解決するための手段】
【０００７】
本発明は、平面部を有する収納容器に揮発性の薬剤を収納して構成され、平面部とは異なる部分に設けられた揮散口から薬剤を揮散させる防虫剤を、上面が開放された箱形形状を有する衣装ケース内に保持するための防虫剤ホルダーに関するものである。本発明に係る防虫剤ホルダーは、透明な樹脂製のシート材により形成され、揮散口が露出した状態で防虫剤を保持する保持手段と、シート材により保持手段と一体的に形成され、平面部が側板の内面に沿うように保持手段を配置する配置手段とを備える。
【０００８】
保持手段は、略矩形形状の第１シートを含み、配置手段は、第１シートの一辺に接続される第２シートを含み、第１シートの一辺上には、第１シートに対して第２シートを折り曲げ自在とする第１折り曲げ線が形成されると共に、第２シートには、第１折り曲げ線と平行な第２折り曲げ線が形成されていることが好ましい。この場合、配置手段は、第２シートを第１折り曲げ線及び第２折り曲げ線の各々で折り曲げて、第２シートを第１シートの一方面に対して谷折り状態とした第１形態にあっては、第２シートが衣装ケースの側板の上縁に係合することによって保持手段を配置し、第２シートを第１折り曲げ線または第２折り曲げ線のいずれかで折り曲げて、第２シートの少なくとも一部を第１シートの一方面に対して山折り状態とした第２形態にあっては、第２シートの少なくとも一部が衣装ケースの底板に沿うことによって保持手段を配置する。
【発明の効果】
【０００９】
本発明によれば、引き出しや衣装ケースの内部に安定して防虫剤を保持できる防虫剤ホルダーを実現できる。また、本発明に係る防虫剤ホルダーは、防虫剤の平面部分を衣装ケースの外部に向けて配置するので、表面（平面部）に交換時期を示すインジケータ等が設けられた防虫剤を透明な衣装ケースに保持した場合には、インジケータの確認を容易に行うことを可能とする。
【図面の簡単な説明】
【００１０】
【図１】本発明の第１の実施形態に係る防虫剤ホルダー及びこれに保持される防虫剤の斜視図
【図２】本発明の第１の実施形態に係る防虫剤ホルダーの第１形態を示す斜視図
【図３】図２に示した防虫剤ホルダーの右側面図
【図４】図２及び３に示した防虫剤ホルダーの使用状態を示す斜視図
【図５】本発明の第１の実施形態に係る防虫剤ホルダーの第２形態を示す斜視図
【図６】図５に示した防虫剤ホルダーの右側面図
【図７】図５及び６に示した防虫剤ホルダーの使用状態を示す斜視図
【図８】本発明の第２の実施形態に係る防虫剤ホルダーの斜視図
【図９】本発明の第２の実施形態に係る防虫剤ホルダーの第１形態を示す斜視図
【図１０】図９に示した防虫剤ホルダーの右側面図
【発明を実施するための形態】
【００１１】
（第１の実施形態）
図１は、本発明の第１の実施形態に係る防虫剤ホルダー及びこれに保持される防虫剤の斜視図である。尚、図１（ａ）は、防虫剤ホルダー及び防虫剤の表面側を示し、図１（ｂ）防虫剤ホルダー及び防虫剤の裏面側を示す。
【００１２】
防虫剤ホルダー１は、長方形の第１シート１１と、第１シート１１に接続される第２シートと、一対の折り返し部４ａ及び４ｂとを備える。これらの第１シート１１と、第２シート１２と、折り返し部４ａ及び４ｂとは、ＰＥＴ等の透明な樹脂製シート材（ただし、半透明なシート材も含む）の打ち抜き及び折り曲げ加工によって一体的に形成されている。
【００１３】
第２シート１２は、第１シート１１の一方の短辺に接続されている。また、折り返し部４ａ及び４ｂは、第２シート１２が接続された短辺と隣接する一対の長辺にそれぞれ接続され、第１シート１１の表面と反対側に折り返されている。
【００１４】
第２シート１２が接続された第１シート１１の短辺上、すなわち、第１シート１１と第２シート１２の境界線上には、第１シート１１に対して第２シート１２を折り曲げ自在とする折り曲げ線６が形成されている。また、第２シート１２には、折り曲げ線６と平行な折り曲げ線７ａ〜７ｃが形成されている。折り曲げ線７ａ〜７ｃは、第２シート１２の一部を容易に折り曲げられるようにするためのものである。
【００１５】
更に、第１シート１１のうち、第２シート１２に接続されていない短辺の近傍（図１における上部）には、第１シート１１の正面または背面から見た時に第２シート１２に向かって略凸形状を描く弓形上のスリット５が形成されている。このスリット５は、防虫剤ホルダー１に収納した防虫剤２０の移動を阻止するストッパー手段として機能するものであるが、詳細は後述する。
【００１６】
尚、本実施形態では、第１シート１１と折り返し部４ａ及び４ｂとが防虫剤２０を保持するための保持手段として機能し、第２シート１２が保持手段を衣装ケースの側板内面に沿う位置に配置するための配置手段として機能する。
【００１７】
一方、防虫剤２０は、収納容器１４と、収納容器１４の内部に収納された揮発性の防虫用薬剤（図示せず）とから構成されている。
【００１８】
収納容器１４は、平面部１５と、平面部１５から突出する中空状の突出部１８と、突出部１８に形成された複数の揮散口１６と、平面部１５と一体的に形成される一対のフランジ部１７ａ及び１７ｂとを有している。突出部１８の内部には薬剤が収納されており、平面部１５とは反対側に設けられた揮散口１６から、揮発した薬剤を外部へと揮散させる。更に、収納容器１４の平面部１５には、薬剤の効果の持続期間が経過したときにその表示内容が変化して、防虫剤２０の取り替え時期を視覚的に知らせるインジケータ１９が設けられている。
【００１９】
尚、収納容器１４の平面部１５の外郭形状は、特に限定されず、平面部１５に施されるデザインに応じて任意で良い。図１の例では、平面部１５の外形は、防虫剤２０の長手方向に延びるフランジ部１７ａ及び１７ｂの外縁部分を互いに異なる曲線とした左右非対称な形状である。
【００２０】
ここで、防虫剤ホルダー１及び防虫剤２０の寸法の関係を説明する。
【００２１】
図１（ｂ）に示すように、防虫剤ホルダー１の折り返し部４ａ及び４ｂの内面同士の間隔Ｗ１は、防虫剤２０の幅Ｗ３より大きく設定されている。次に、防虫剤ホルダー１の折り返し部４ａ及び４ｂの端縁同士の間隔Ｗ２は、防虫剤２０の幅Ｗ３より小さく、かつ、防虫剤２０の突出部１８の幅Ｗ４より大きく設定されている。
【００２２】
図２は、本発明の第１の実施形態に係る防虫剤ホルダーの第１形態を示す斜視図であり、図３は、図２に示した防虫剤ホルダーの右側面図である。
【００２３】
上記のように防虫剤ホルダー１の寸法が設定されているため（図１（ｂ））、平面部１５を第１シート１１の裏面に沿わせるようにして、フランジ部１７ａ及び１７ｂを、折り返し部４ａ及び４ｂと第１シート１１の裏面との間に滑り込ませることによって、図２及び３に示されるように、防虫剤２０を防虫剤ホルダー１に保持させることができる。このとき、収納容器１４の短辺部分に設けられたフランジ部１７ｃを第１シート１１に設けられたスリット５に挟み込むことによって、図２及び３における下方向への防虫剤２０の移動が阻止されている。この結果、防虫剤２０は、揮散口１６が第１シート１１の表面とは反対側に露出した状態で安定して防虫剤ホルダー１に保持されている。
【００２４】
防虫剤ホルダー１が図２に示される第１形態である場合、第１シート１１及び第２シート１２は、側面から見てコ字型となるように折り曲げられている。より詳細には、第１シート１１及び第２シート１２の境界線上に形成された折り曲げ線６で第２シート１２を折り曲げることによって、第２シート１２が第１シート１１の表面に対して谷折り状態となっている。更に、第２シート１２に形成された折り曲げ線７ａで第２シート１２を折り曲げることによって、第２シート１２の一部が第１シート１１の表面から見て谷折り状態となっている。
【００２５】
図４は、図２及び３に示した防虫剤ホルダーの使用状態を示す斜視図である。
【００２６】
図４に示されるように、衣装ケース２５は、上面が開放された箱形形状を有する引き出し２６と、少なくとも前面が開放された箱形形状を有し、引き出し２６をスライド自在に収納する収納本体２７とから構成されている。本実施形態では、引き出し２６は、透明または半透明の樹脂によって形成されており、その内部に収納された衣類等を外部からある程度判別ことができる。また、引き出し２５の前板２８の上縁部分には、引き出し２５を掴みやすくするために取手部２９が設けられている。
【００２７】
第１形態の防虫剤ホルダー１（図２及び３を併せて参照）を用いて、防虫剤２０を引き出し２６内部に保持する場合、第１シート１１及び第２シート１２で構成されるコ字部分で前板２８の取手部２９を挟み込んだ状態となるように、防虫剤ホルダー１を前板２８に取り付ける。このように、防虫剤ホルダー１の第１形態にあっては、第２シート１２が前板２８の上縁部分に係合することによって、平面部１５が前板２８の内面に沿うように第１シート１１を配置する。
【００２８】
尚、コ字部分の間隔は、第２シート１２を係合させる前板２８の上縁部分の厚みに応じて、調整可能である。例えば、前板２８の上縁部分の厚みがより小さな引き出しに対して防虫剤ホルダー１を使用する場合には、第２シート１２を折り曲げ線７ａで谷折りにする代わりに、折り曲げ線７ｂで第２シート１２を折り曲げれば良い。この場合、図３の二点鎖線で示されるように、第１シート１１及び第２シート１２で形成されるコ字部分の間隔を小さくすることができる。また、折り曲げ線７ｃで第２シート１２を折り曲げれば、コ字部分の間隔を更に小さくできる。
【００２９】
また、図２〜４の例では、第１シート１１に設けたスリット５がストッパーとしての機能を発揮しているが、スリット５以外の構成によって防虫剤２０の移動を規制しても良い。例えば、第１シート１１及び第２シート１２の境界線と対向する一辺に接続され、第１シートの裏面側に折り曲げられた折り返し片を更に設け、当該折り返し片によって防虫剤２０の移動を規制しても良い。また、シート材の材質や折り返し構造・折り返し方法を工夫したり、折り返し部４ａ及び４ｂと第１シート１１との間のクリアランスを変更したりして、折り返し部４ａ及び４ｂによるフランジ部１７ａ及び１７ｂの挟み込みで防虫剤の移動を規制しても良い。また、引き出し２６の深さによって防虫剤の移動はある程度規制されるので、ストッパー手段として機能する部位のない防虫剤ホルダーを構成することも可能である。
【００３０】
図５は、本発明の第１の実施形態に係る防虫剤ホルダーの第２形態を示す斜視図であり、図６は、図５に示した防虫剤ホルダーの右側面図である。
【００３１】
防虫剤ホルダー１が、図５に示される第２形態である場合、第１シート１１及び第２シート１２は、側面からみてＬ字型となるように折り曲げられている。より詳細には、第１シート１１及び第２シート１２の境界線上に形成された折り曲げ線６で第２シート１２を折り曲げることによって、第２シート１２が第１シート１１の表面に対して山折り状態となっている。
【００３２】
第２形態の防虫剤ホルダー１に対しても、防虫剤２０は、フランジ部１７ａ及び１７ｂを折り返し部４ａ及び４ｂと第１シート１１との隙間に滑り込ませて収容されている。ただし、防虫剤ホルダー１を第２形態で使用する場合には、防虫剤２０の自重によって、防虫剤２０の短辺部分に設けられたフランジ部１７ｄが第２シート１２に当接するため、フランジ部１７ｃを必ずしもスリット５に挟み込む必要はない。
【００３３】
図７は、図５及び６に示した防虫剤ホルダーの使用状態を示す斜視図である。
【００３４】
第２形態の防虫剤ホルダー１（図５及び６を併せて参照）を用いて、防虫剤２０を引き出し２６内部に保持する場合、第１シート１１が前板２８の内面に沿うように、防虫剤ホルダー１を底板３０上に立てて設置する。このように、防虫剤ホルダー１の第２形態にあっては、第２シート１２が底板３０に沿うことによって、平面部１５が前板２８の内面に沿うように第１シート１１を配置する。実際の使用時には、第２形態の防虫剤ホルダー１を底板３０上に設置した後に、底板３０に沿う第２シート１２の上面に衣類等（図示せず）が載置されるため、引き出し２６内における防虫剤ホルダー１の移動は抑制される。
【００３５】
尚、図５〜７では、第１シート１１及び第２シート１２の境界線上の折り曲げ線６を山折りにしているが、当該境界線上の折り曲げ線６を折り曲げずに、第２シート１２内に形成された折り曲げ線７ａ〜７ｃのいずれか一つを山折りにしても良い。この場合、衣装ケースの深さに応じて折り曲げ線７ａ〜７ｃの選択することにより、防虫剤２０が配置されるレベル（高さ）を調節することができる。ただし、本実施形態の保持手段の構成でこのような使用方法を想定する場合、第１シート１１には、防虫剤２０の第２シート１２側への移動を規制するストッパー手段を更に設けることが好ましい。当該ストッパー手段は、フランジ部１７ｃを挟み込むスリットを更に第１シート１１に設けることによって実現しても良い。
【００３６】
以上説明したように、本実施形態に係る防虫剤ホルダー１は、第１形態（図２〜４）及び第２形態（図５〜７）のいずれの形態であっても、収納容器１４の揮散口１６が引き出し２５の内方に向けて露出し、かつ、収納容器１４の平板部１５が前板２０の内面に沿った状態で防虫剤２０を保持することができる。第２シート１２によって構成される配置手段によって、防虫剤２０の位置が前板２８の近傍に維持することができるので、取り替え作業時に防虫剤２０を探すことなく、その所在を容易に特定することが可能となる。
【００３７】
また、本実施形態では、第１シート１１と折り返し部４ａ及び４ｂとで保持手段が構成されている。防虫剤ホルダー１を第１形態及び第２形態のいずれで使用しても、防虫剤２０をスライド上下にスライドさせることによって着脱できるので、防虫剤２０の取り替え作業自体も容易に行うことができる。
【００３８】
更に、防虫剤ホルダー１は、透明なシート材によって形成されており、インジケータ１９が設けられた平面部１５が前板２８の内面に沿うように防虫剤２０を配置する。したがって、前板２８が透明または半透明の材料で形成されている場合には、引き出し２６を引き出すことなくインジケータ１９の表示を外部から確認できるので、交換時期を容易に把握することができ、使い勝手が良い。
【００３９】
（第２の実施形態）
図８は、本発明の第２の実施形態に係る防虫剤ホルダーの斜視図である。
【００４０】
本実施形態に係る防虫剤ホルダー２は、第１の実施形態と同一形状の第２シート１２によって配置手段が構成されているが、防虫剤２０を保持する保持手段の構成が第１の実施に係るものと相違する。以下では、本実施形態と第１の実施形態との相違点を中心に説明する。
【００４１】
防虫剤ホルダー２は、長方形の第１シート１１と、第１シート１１の一方の短辺に接続される略矩形形状の第２シートと、第１シート１１の他方の短辺に接続される略矩形形状の第３シートとから構成されている。これらの第１シート１１、第２シート１２及び第３シート１３は、ＰＥＴ等の透明な樹脂製シート材の打ち抜き及び折り曲げ加工によって一体的に形成されている。
【００４２】
第１シート１１には、収納容器１４の突出部１８の平面形状に対応する形状を有する開口９が形成されている。したがって、収納容器１４の突出部１８を開口９に嵌合させることによって、収納容器１４のフランジ部１７ａ〜１７ｄの裏面が第２シート１２の表面に接する位置（二点鎖線で示した位置）に防虫剤２０を配置することができる。
【００４３】
第３シート１３は、第１シート１１とほぼ同じ大きさであり、第１シート１１との境界線上の折り曲げ線８において、第１シートの表面に対して谷折りに折り曲げられている。
【００４４】
防虫剤２０を防虫剤ホルダー２に保持させるためには、第１シート１１に対して閉じている第３シート１３を、シート材の弾性に抗して例えば二点鎖線で示した位置まで開く。収納容器１４の突出部１８を第２シート１２の開口９に嵌合させた後、第３シート１３を押さえる手を離すと、シート材の弾性力によって第３シート１３は実線で示される位置に復帰する。この結果、収納容器１４のフランジ部１７ａ〜１７ｄが第１シート１１と第３シート１３との間にフランジ部１７を挟み込まれた状態で、防虫剤２０が防虫剤ホルダー２に保持される。
【００４５】
このように、本実施形態では、第１シート１１と第３シート１３とによって、防虫剤２０を保持する保持手段が構成されている。
【００４６】
また、本実施形態においては、収納容器１４の突出部１８が開口９に嵌合することによって、平面部１５と平行な方向における防虫剤２０の移動が阻止されている。
【００４７】
図９は、本発明の第２の実施形態に係る防虫剤ホルダーの第１形態を示す斜視図であり、図１０は、図９に示した防虫剤ホルダーの右側面図である。
【００４８】
本実施形態においても、防虫剤ホルダー２の第１形態にあっては、第１シート１１及び第２シート１２の境界線上に形成された折り曲げ線６で第２シート１２を折り曲げることによって、第２シート１２が第１シート１１の表面に対して谷折り状態となり、第２シート１２に形成された折り曲げ線７ａで第２シート１２を折り曲げることによって、第２シート１２の一部が第１シート１１の表面から見て谷折り状態となっている。
【００４９】
使用時には、図４に示した第１の実施形態での使用状態と同様に、第２シート１２が前板２８の取手部２９に係合することによって、平面部１５が前板２８の内面に沿うように防虫剤２０を配置することができる。
【００５０】
また、図示を省略するが、第１シート１１及び第２シート１２の境界線上に形成された折り曲げ線６で第２シート１２を折り曲げて、第２シート１２を第１シート１１の表面に対して山折り状態に配置すれば、防虫剤ホルダー２をＬ字型の第２形態で使用することも可能である。防虫剤ホルダー２の第２形態での使用状態は、図７に示した第１の実施形態に係るものと同様である。
【００５１】
上述したように、本実施形態においても、第１の実施形態と同一の第２シート１２によって、第１シート１１及び第３シート１３からなる保持手段を引き出しの前板内面に保持することができる。したがって、本実施形態に係る防虫剤ホルダー２は、第１の実施形態に係るものと同一の効果を発揮することができる。すなわち、防虫剤ホルダー２によれば、引き出しの前板近傍に防虫剤２０を安定して保持することができ、かつ、収納容器１４の平面部１５に設けられたインジケータ１９の確認を容易にすることができる。それ故、本実施形態によっても、使い勝手の良い防虫剤ホルダー２を実現できる。
【００５２】
尚、上記の各実施形態では、第２シートは略矩形形状であるが、第２シートの形状は矩形以外であっても良い。
【００５３】
また、上記の各実施形態では、引き出しの前板内面に対して防虫剤ホルダーを配置する例を説明したが、蓋式の衣装ケースに対しては、任意の側板の内面に対して防虫剤ホルダーを配置すれば良い。
【００５４】
更に、上記の各実施形態では、防虫剤の収納容器の形状を特定しているが、収納容器の形状は特に限定されるものではない。収納容器の形状に応じて保持手段の構成を適宜変更することによって、上記の各実施形態と同様の作用効果を奏する防虫剤ホルダーを構成できる。
【産業上の利用可能性】
【００５５】
本発明は、衣装ケース内に衣類用防虫剤を取り付けるための防虫剤ホルダー等に利用できる。
【符号の説明】
【００５６】
１、２  防虫剤ホルダー
４  折り返し部
５  スリット
６〜８  折り曲げ線
９  開口
１１  第１シート
１２  第２シート
１３  第３シート
１４  収納容器
１５  平面部
１６  揮散口
１７  フランジ部
１８  突出部
１９  インジケータ
２０  防虫剤
２６  引き出し
２８  前板
３０  底板
【図１】
2010187557.tif 000003
【図２】
2010187557.tif 000004
【図３】
2010187557.tif 000005
【図４】
2010187557.tif 000006
【図５】
2010187557.tif 000007
【図６】
2010187557.tif 000008
【図７】
2010187557.tif 000009
【図８】
2010187557.tif 000010
【図９】
2010187557.tif 000011
【図１０】
2010187557.tif 000012